(57)【特許請求の範囲】
【請求項１】
電子機器本体に対する液晶表示パネルの回転角度に応じて該液晶表示パネルにおける走査線の走査方向が反転する電子機器であって、
上記走査線の走査方向を反転させる際に、上記液晶表示パネルに表示信号電圧として第１の閾値以下の電圧又は第２の閾値以上の電圧の一方を印加して、黒画像又は白画像の一方を画面全体に割込画像として表示する割込制御部を有し、
上記液晶表示パネルがノーマリブラック型であるとき、上記第１の閾値は黒表示となる電圧に設定されて上記第２の閾値は白表示となる電圧に設定され、上記液晶表示パネルがノーマリホワイト型であるとき、上記第１の閾値は白表示となる電圧に設定されて上記第２の閾値は黒表示となる電圧に設定される、電子機器。
【請求項２】
前記割込制御部は、前記電子機器本体に対する前記液晶表示パネルの回転角度が第１の角度範囲から第２の角度範囲に遷移したときに、所定の期間だけ前記割込画像を前記液晶表示パネルに表示する、請求項１に記載の電子機器。
【請求項３】
電子機器本体に対する回転角度に応じて表示部における走査線の走査方向が反転する液晶表示装置であって、
上記走査線の走査方向を反転させる際に、上記表示部に表示信号電圧として第１の閾値以下の電圧又は第２の閾値以上の電圧の一方を印加して、黒画像又は白画像の一方を画面全体に割込画像として表示する割込制御部を有し、
上記表示部は液晶表示パネルであり、上記液晶表示パネルがノーマリブラック型であるとき、上記第１の閾値は黒表示となる電圧に設定されて上記第２の閾値は白表示となる電圧に設定され、上記液晶表示パネルがノーマリホワイト型であるとき、上記第１の閾値は白表示となる電圧に設定されて上記第２の閾値は黒表示となる電圧に設定される、液晶表示装置。
【請求項４】
前記割込制御部は、前記電子機器本体に対する前記表示部の回転角度が第１の角度範囲から第２の角度範囲に遷移したときに所定の期間だけ前記割込画像を前記表示部に表示する、請求項３に記載の液晶表示装置。
【発明の詳細な説明】
【技術分野】
【０００１】
本発明は、表示部の回転角度に応じて走査線の走査方向が反転する液晶表示装置と、この液晶表示装置を搭載した電子機器に関する。
【背景技術】
【０００２】
携帯電話端末装置や撮像装置などの各種電子機器は、電子機器本体に対して表示部、すなわちモニター部がヒンジなどの接続部で取り付けられて構成されている。
【０００３】
例えば、特許文献１に開示されている電子撮像装置では、撮像者を被写体として撮像できるように撮像部に対して本体部を半回転した場合、撮像で得られた画像を上下反転させて表示部に表示することで、正しい向きに画像が表示される。
【０００４】
特許文献２に開示されている情報記録再生装置では、情報記録再生装置本体とモニター部とを一体として使用して撮影者を対面撮像する場合、情報記録再生装置本体に対するモニター部の回動状態を検出し、その検出結果に応じて画像を上下反転処理して表示部に表示する。
【０００５】
特許文献３に開示されている携帯電話機では、筐体の正面側であって表示部と操作部との間にカメラ部が配設され、少なくとも筐体を上下反転させてカメラ部で撮像を行った場合に、撮像で得られた画像情報を画像処理部で上下反転させ、少なくとも筐体を上下反転させて表示する場合には、表示部で表示される表示情報を表示処理部で上下反転させている。
【０００６】
特許文献４に開示されている電子カメラ装置などの画像記録再生装置では、互いに直交する方向の二軸により回転する表示部と、上下左右４方向に対して互いに異なる複数の機能が割り当てられたキー操作部と、を有し、表示部の回転角度を検出するステップと、検出された回転角度に応じて操作部に割り当てられた複数の機能を変更するステップと、により常に表示部を中心とした操作体系を提供している。
【０００７】
これらの各種電子機器の表示部、すなわちモニター部には液晶表示装置が搭載されている。従来の液晶表示装置の一般的な構成について説明する。図７は、従来の一般的な液晶表示装置の構成を模式的に示す図であり、（Ａ）は液晶表示装置の全体構成を、（Ｂ）は一つの画素部分の構成を示している。
液晶表示装置５０は、液晶表示パネル５１と走査線駆動回路５２と信号線駆動回路５３とＬＣＤコントローラ５４とを有する。
【０００８】
液晶表示パネル５１は２枚の基板間に液晶が挟持されて構成される。一方の基板には表示領域に、行方向に延伸して配置された複数の走査線Ｇｉと、列方向に延伸して配置された複数の信号線Ｓｊと、が備えられ、走査線Ｇｉと信号線Ｓｊとの各交差部近傍に画素が設けられている。なお、添え字ｉは１からＭまでの自然数であり、添え字ｊは１からＮまでの自然数であり、Ｍは走査線の総本数であり、Ｎは信号線の総本数である。走査線Ｇｉと信号線Ｓｊとの各交差部にスイッチング素子５１ｉｊとしてのＴＦＴ（Thin Film Transistor）が備えられている。スイッチング素子５１ｉｊの出力側には液晶５１ｄを挟む一方の電極、すなわち画素電極５１ｅが接続され、各画素電極５１ｅに対向するように共通した対向電極５１ｆが配置される。画素毎に、液晶５１ｄで構成される液晶容量Ｃｌｃに補助容量ＣＣｓが並列接続されている。補助容量ＣＣｓを構成する補助容量電極５１ｇが、スイッチング素子５１ｉｊの出力端に接続されている。
【０００９】
ＬＣＤコントローラ５４は、水平同期信号ＨＤ、垂直同期信号ＶＤ及びクロック信号に基づいて水平制御信号や垂直制御信号を生成し、垂直制御信号を走査線駆動回路５２に出力し、水平制御信号を信号線駆動回路５３に出力する。走査線駆動回路５２は、ＬＣＤコントローラ５４から入力される垂直制御信号に基づいて各走査線Ｇｉに走査信号を順次印加して選択状態とする。信号線駆動回路５３は、ＬＣＤコントローラ５４から入力される水平制御信号に基づいて、画素信号Ｒ，Ｇ，Ｂに対応する信号電圧を信号線Ｓｊに出力する。
【００１０】
このように構成された液晶表示装置５０では、走査線駆動回路５２から各走査線Ｇｉに順次電圧が印加されるとＴＦＴ５１ｉ１〜５１ｉＮが順次ＯＮ状態となり、信号線駆動回路５３が画素電位として信号電圧を印加する。すなわち、選択状態の走査線Ｇｉに接続されている画素電極５１ｅに対し、信号線駆動回路５３が信号線Ｓｊに信号電圧を印加する。よって、各画素の透過率が変化し、液晶表示パネル５１は画面全体で画像を表示する。
【００１１】
ところで、液晶表示装置では長時間にわたり液晶に直流電圧が印加されると、焼付けと呼ばれる残像現象を引き起こす。そのため、信号線Ｓｊから各画素へ入力する信号の電位の極性を、対向電極電位を基準として、周期的に反転させる。極性反転は１フレーム毎に行われ、１垂直周期毎に、すなわち走査線Ｇｉの全てを一回走査する期間毎に、液晶に加わる電界方向を逆にする。このようなフレーム反転駆動で液晶５１ｄを駆動すると、画面上の位置が異なると輝度がアンバランスとなり、所謂輝度傾斜が生じる（例えば特許文献５）。特に、液晶表示プレートの画面に中間調を表示する場合、輝度傾斜の影響が顕著に現れる。
【００１２】
図８は、図７（Ｂ）に示す一つの画素部分の構成を示す等価回路図である。スイッチング素子５１ｉｊにおいて、図示するように、画素電極５１ｅと走査線Ｇｉとの間に寄生容量Ｃｇｄが形成され、画素電極５１ｅと信号線Ｓｊとの間に寄生容量Ｃｓｄが形成される。
【００１３】
図９は液晶表示パネルを駆動するためのタイムチャートを模式的に示す図で、（Ａ）は画面上部における画素電極の電位波形を示し、（Ｂ）は画面下部における画素電極の電位波形を示している。各図の横軸は時間であり、縦軸は電圧である。
【００１４】
いま、スキャン方向は画面上部から下部に向いているものとすると、走査線駆動回路５２は走査線Ｇ１，Ｇ２，Ｇ３,・・・，ＧＭの順に一定時間のパルス信号波形を生じる。よって、走査線Ｇｉの電位は、一定時間だけ低電位Ｖｇｌから高電位Ｖｇｈとなる。対向電極５１ｆには一定の電圧Ｖｃｏｍが印加され、信号線Ｓｊには、電圧Ｖｃｏｍよりも高い電圧と低い電圧Ｖとがフレーム毎に交互に印加されているとする。
【００１５】
液晶表示パネル５１の各画素では、電圧Ｖ+で正極の書き込みと電圧Ｖ−で負極の書き込みとが繰り返し行われる。各画素における画素電極５１ｅの電位は次のようになる。
信号線Ｓｊに電圧Ｖｃｏｍより高い電圧が印加される間では、先ず寄生容量Ｃｓｄの影響でΔＶ２だけ電位がシフトし、走査線Ｇｉの電位がＶｇｈの間に信号線Ｓｊの電位まで電位が上昇し、その後走査線Ｇｉの電位がＶｇｌになると、寄生容量Ｃｇｄの影響でΔＶ１だけ電位が低下する。このように信号線Ｓｊに電位Ｖｃｏｍより高い電圧が印加される間電圧Ｖ+で正極の書き込みがなされる。
一方、信号線Ｓｊに電圧Ｖｃｏｍより低い電圧が印加される間では、先ず寄生容量Ｃｓｄの影響でΔＶ２だけ電位がシフトし、走査線Ｇｉの電位がＶｇｈの間に信号線Ｓｊの電位まで電位が下がり、その後走査線の電位がＶｇｌになると、寄生容量Ｃｇｄの影響でΔＶ２だけ電位が高くなる。このように信号線Ｓｊに電位Ｖｃｏｍより低い電圧が印加される間、電圧Ｖ−で負極の書き込みがなされる。
【００１６】
画面上部の画素では、図９（Ａ）に示すように、ΔＶ１だけシフトした電圧の状態が長いが、画面下部の画素では、図９（Ｂ）に示すように、ΔＶ１だけシフトした電圧の状態が短い。つまり、液晶に印加される実効電圧が寄生容量Ｃｓｄの影響で低下する期間は、画面上部では期間Ｔ１であるのに対し、画面下部では期間Ｔ２となり、期間Ｔ１より期間Ｔ２の方が長い。画面下部の画素の方が液晶に電圧が印加され難い。よって、中間調を表示すると、例えば走査線スキャン開始側の画素が明るく、走査線スキャン終了側の画素が暗くなり、画面全体として輝度傾斜が生じる。
【００１７】
【特許文献１】特開２０００−１９６９４２号公報
【特許文献２】特開２００１−３４６０８２号公報
【特許文献３】特開２００６−１９７４０４号公報
【特許文献４】特開２００６−２７９３０７号公報
【特許文献５】特開２００７−２９８７９９号公報
【発明の開示】
【発明が解決しようとする課題】
【００１８】
以上のように液晶の駆動に関してフレーム反転駆動を採用すると、走査線スキャンの開始側から終了側に向けて輝度が少しずつ異なり、この方向に輝度傾斜が生じる。そして、電子機器本体に対してモニター部を上下逆にする毎に走査方向を切り換える場合、輝度傾斜の傾斜方向もその都度切り換わる為、輝度傾斜の存在をユーザ自身が目視で認識しやすくなってしまう。
【００１９】
図１０は本発明が解決しようとする課題を説明するための説明図であり、走査方向が変わる前後の各状態における画面の輝度傾斜をグラデーションとグラフとで模式的に示している。なお、液晶セルに電圧を印加すると白くなるノーマリーブラックの場合を示している。
図１０（Ａ）に示すように、液晶表示パネルが或る画像を表示している状態（この状態を以下、「通常の表示状態」と呼ぶ。）では、走査線Ｇ１から走査線ＧＭに向かって各走査線が順に選択される。この場合には、点Ｂの位置の画素の方が点Ａの位置の画素に比べて液晶に印加される実効電圧が小さくなり、点Ｂの位置の画素は図示するように点Ａの位置の画素よりも輝度が低くなる。図示を省略するが、ノーマリーホワイトの場合には点Ｂの位置の画素の方が点Ａの位置の画素に比べて輝度が高くなる。
この通常の表示状態において、液晶表示パネルに外部から上下反転コマンドが入力されると、上下反転の表示状態となり、図１０（Ｂ）に示すように、走査線ＧＭから走査線Ｇ１に向かって各走査線が順に選択される。この場合には、点Ａの位置の画素の方が点Ｂの位置の画素に比べて液晶に印加される実効電圧が小さくなり、点Ａの位置の画素の方が点Ｂの位置の画素よりも輝度が低くなる。
この上下反転の表示状態において、再度液晶表示パネルに外部から上下反転コマンドが入力されると通常の表示状態にシフトし、図１０（Ａ）に示すように、点Ｂの位置の画素の方が点Ａの位置の画素よりも再び輝度が低くなる。
【００２０】
このように、上下反転コマンドの入力毎に走査方向が反転すると、輝度傾斜の存在がユーザの目視で認識されやすくなり、表示品質を損なうことが問題となっていた。
【００２１】
本発明の目的は、走査線の走査方向が反転しても輝度傾斜の存在が認識され難い電子機器及び液晶表示装置を提供することを目的とする。
【課題を解決するための手段】
【００２２】
上記目的を達成するために、本発明は、電子機器本体に対する液晶表示パネルの回転角度に応じて該液晶表示パネルにおける走査線の走査方向が反転する電子機器であって、上記走査線の走査方向を反転させる際に、液晶表示パネルに表示信号電圧として第１の閾値以下の電圧又は第２の閾値以上の電圧の一方を印加して、黒画像又は白画像の一方を画面全体に割込画像として表示する割込制御部を有し、液晶表示パネルがノーマリブラック型であるとき、第１の閾値は黒表示となる電圧に設定されて第２の閾値は白表示となる電圧に設定され、液晶表示パネルがノーマリホワイト型であるとき、第１の閾値は白表示となる電圧に設定されて第２の閾値は黒表示となる電圧に設定されることを特徴とするものである。
割込制御部は、更に、表示信号電圧として第１の閾値以下の電圧又は第２の閾値以上の電圧の他方を印加して所定のメッセージ画像を割込画像として表示する。
割込制御部は、電子機器本体に対する液晶表示パネルの回転角度が第１の角度範囲から第２の角度範囲に遷移したときに、所定の期間だけ割込画像を液晶表示パネルに表示する。
【００２３】
本発明の液晶表示装置は、電子機器本体に対する回転角度に応じて表示部における走査線の走査方向が反転するようになっていて、走査線の走査方向を反転させる際に、表示部に表示信号電圧として第１の閾値以下の電圧又は第２の閾値以上の電圧の一方を印加して、黒画像又は白画像の一方を画面全体に割込画像として表示する割込制御部を有し、表示部は液晶表示パネルであり、該液晶表示パネルがノーマリブラック型であるとき、第１の閾値は黒表示となる電圧に設定されて第２の閾値は白表示となる電圧に設定され、液晶表示パネルがノーマリホワイト型であるとき、第１の閾値は白表示となる電圧に設定されて第２の閾値は黒表示となる電圧に設定されることを特徴とする。
割込制御部は、更に、表示部に表示信号電圧として第１の閾値以下の電圧又は第２の閾値以上の電圧の他方を印加して所定のメッセージ画像を割込画像として表示する。
割込制御部は、電子機器本体に対する表示部の回転角度が第１の角度範囲から第２の角度範囲に遷移したときに、所定の期間だけ割込画像を表示部に表示する。
【発明の効果】
【００２４】
本発明によれば、走査線の走査方向が反転しても輝度傾斜の存在を認識され難くすることができる。
【発明を実施するための最良の形態】
【００２５】
以下、添付図面を参照しながら、本発明の実施形態について説明する。
〔電子機器の概略〕
図１は、本発明の実施形態に係る電子機器１の概略ブロック図である。本発明の実施形態に係る電子機器１は、液晶表示素子２Ａを有するモニター部２と、各種用途に応じた機能を内蔵した電子機器本体部（以下「本体部」とする。）３と、モニター部２と本体部３とを相互に回転可能に接続する接続部４と、モニター部２と本体部３との相対的な角度を検出するためのセンサー５と、を備える。本体部３にはメモリが備えられ、液晶表示素子２Ａに表示するデータが格納されている。センサー５は例えばモニター部２に当接し得るように本体部３にスイッチを設けてもよいし、モニター部２と本体部３とにそれぞれ角度センサーを設けても良い。
【００２６】
電子機器１の例としては、撮像装置、電子手帳、電話端末装置、テレビ装置などを挙げることができる。図２は、電子機器１の一例としての撮像装置を示し、（Ａ）は撮影者がモニター部２を見る状態を、（Ｂ）はモニター部２が本体部３に対して回転している途中の状態を、（Ｃ）は被撮影者がモニター部２を見る状態を、それぞれ示す図である。撮像装置１では、モニター部２が本体部３に対して接続部４を介して揺動回転可能に取り付けられている。撮像装置の場合、本体部３には、上記メモリのほかファインダー、レンズ、撮像素子、メモリとこれらを制御するＣＰＵ（図示せず）が格納されている。図２に示す撮像装置では、ファインダー側とレンズ側とにそれぞれ人が対峙した状態で液晶表示素子２Ａに表示される画面をモニター部２の回転で相互に見合うことができる。このことは撮像装置以外の各種電子機器１においても同様である。ここで、モニター部２を本体部３に対して回転すると、本体部３に対する液晶表示素子２Ａの上下が逆転し、液晶表示素子２Ａの走査線Ｇｉが上側から下側に向けて走査線Ｇ１，Ｇ２，・・，ＧＭが配置された状態から、走査線Ｇｉが上側から下側に向けて走査線ＧＭ，・・，Ｇ２，Ｇ１が配置された状態となる。
【００２７】
〔第１の実施形態〕
〔電子機器の構成〕
図３は図１のブロック構成図の詳細を示し、（Ａ）は液晶表示素子２Ａを含む電子機器１の主要構成図、（Ｂ）は液晶表示素子２Ａにおける各画素の構成図である。
電子機器１は、画像データに基づいて画像が表示される液晶表示素子２Ａとしての液晶表示パネル１１と、液晶表示パネル１１の走査線Ｇｉを走査するための走査線駆動回路１２と、液晶表示パネル１１の信号線Ｓｊに信号電圧を供給するための信号線駆動回路１３と、走査線駆動回路１２及び信号線駆動回路１３を制御する制御部１４と、を備える。
【００２８】
液晶表示パネル１１は、２枚の基板間に液晶が挟持されて構成されている。一方の基板には表示領域に、行方向に延伸して配置された複数の走査線Ｇｉと、列方向に延伸して配置された複数の信号線Ｓｊと、を備え、走査線Ｇｉと信号線Ｓｊとの各交差部近傍に画素が設けられている。なお、添え字ｉは１からＭまでの自然数であり、添え字ｊは１からＮまでの自然数、Ｍは走査線の総本数、Ｎは信号線の総本数である。走査線Ｇｉと信号線Ｓｊとの各交差部にはスイッチング素子１１ｉｊとしてのＴＦＴ（Thin Film Transistor）を備えている。スイッチング素子１１ｉｊは、走査線Ｇｉに接続される制御電極１１ａと、信号線Ｓｊに接続される第１電極１１ｂと、走査線Ｇｉが選択状態にある場合に第１電極１１ｂと導通する第２電極１１ｃと、から構成される。スイッチング素子１１ｉｊの出力側に液晶１１ｄを挟む一方の電極、すなわち画素電極１１ｅが接続されている。各画素電極１１ｅに対向するように共通した対向電極１１ｆが配置され、この対向電極１１ｆと各画素電極１１ｅとの間には液晶１１ｄが充填されている。画素毎に、液晶１１ｄで構成される液晶容量Ｃｌcに補助容量ＣＣｓが並列接続されている。補助容量ＣＣｓを構成する補助容量電極１１ｇが、スイッチング素子１１ｉｊの出力端に接続されている。なお、対向電極１１ｆは各画素における画素電極１１ｅ及び液晶１１ｄとで液晶容量Ｃｌcを構成し、対向電極１１ｆは補助容量電極１１ｇとで補助容量ＣＣｓを画素毎に構成する。
【００２９】
制御部１４は信号発生部１４Ａ、メモリ部１４Ｂ、データ送出部１４Ｃ、走査方向変更指令部１４Ｄ及び割込制御部１４Ｅを備える。
信号発生部１４Ａは、水平制御信号、垂直制御信号、クロック信号その他の各種信号を発生し、走査線駆動回路１２に対し垂直制御信号、水平制御信号を出力し、信号線駆動回路１３に対し垂直制御信号、水平制御信号及びクロック信号を出力する。
メモリ部１４Ｂは、図示しない記録媒体や外部から入力されかつ液晶表示パネル１１に表示されるデータを、一時的に格納する。
データ送出部１４Ｃは、メモリ部１４Ｂに一時的に格納されているデータを、垂直制御信号、水平制御信号及びクロック信号に同期するように、所定の順序で信号線駆動回路１３に送出する。
走査方向変更指令部１４Ｄは、走査線Ｇｉの走査方向の変更指令、所謂上下反転コマンドを走査線駆動回路１２に出力する。すなわち、走査線Ｇｉを走査線Ｇ１，Ｇ２，Ｇ３，・・・,ＧＭの順に選択する順方向指令、走査線Ｇｉを走査線ＧＭ，・・・，Ｇ３，Ｇ２，Ｇ１の順に選択する逆方向指令の何れかを例えばセンサー５から出力されたデータに応じて選択し走査線駆動回路１２に出力する。
割込制御部１４Ｅは、本体部３に対する液晶表示パネル１１の回転角度が所定の角度を閾値としてある状態から別の状態に遷移すると所定の期間だけ割込画像を表示パネル１１に表示する。本体部３に対する液晶表示パネル１１の角度は、例えばセンサー５から出力されたデータに基づいて求め、その角度が所定の角度を閾値として第１の角度範囲から第２の角度範囲に遷移したときに、所定の期間だけ割込画像を液晶表示パネル１１に表示する。割込制御部１４Ｅの詳細は後述する。
【００３０】
走査線駆動回路１２は、信号発生部１４Ａから出力される垂直制御信号に基づいて当該フレームでの走査線Ｇｉの走査を開始すると共に、制御部１４から出力される水平制御信号に基づいて対応する走査線の走査信号を所定の期間だけローレベルの電圧からハイレベルの電圧に切り換える。すなわち、対応する走査線を所定の期間だけ選択状態にする。このとき、走査線駆動回路１２は、走査方向変更指令部１４Ｄから順方向指令が出力されているときは走査線Ｇ１,Ｇ２,・・・,ＧＭの順に選択状態とし、逆方向指令が出力されているときは走査線ＧＭ，・・・，Ｇ３，Ｇ２，Ｇ１の順に選択状態とする。
【００３１】
信号線駆動回路１３は、信号発生部１４Ａから出力される垂直制御信号、水平制御信号及びクロック信号に基づいて、液晶表示パネル１１に設けられた各信号線Ｓｉに対し、データ送出部１４Ｃから出力されてくる画像データに対応する表示信号電圧を、所定のタイミングで出力する。
【００３２】
次に、割込制御部１４Ｅについて詳説する。
割込制御部１４Ｅには判定部が内蔵されており、センサー５から出力されたデータに基づいて本体部３に対するモニター部２の状態遷移を判定する。例えば、図２に示すように本体部３に対してモニター部２が回転可能に取り付けられている電子機器１の場合、液晶表示パネル１１が回転軸回りに０度から１８０度の状態になるまで回転するので、本体部３に対するモニター部２の回転状態に応じて、本体部３に対するモニター部２の角度範囲を第１の状態と第２の状態とに区分けする。すなわち、モニター部２の法線方向がｘ方向に向いている状態を角度ゼロとし、モニター部２の回転軸方向であるｙ軸方向に右ネジが進む方向（図２（Ｂ）の矢印の向き）をモニター部２の回転方向のプラスとすると、モニター部２の法線方向の向きが０度からα度の間であれば第１の角度範囲とし、モニター部２の法線方向の向きがα度から１８０度の間であれば第２の角度範囲とする。αは例えば９０度又はその前後と定めることができる。走査線Ｇｉの配列を前述のように図３（Ａ）ではモニター部２の上側から下側に向けて走査線Ｇ１，Ｇ２，・・，ＧＭと配置されているとすると、第１の角度範囲では液晶表示パネル１１の上側から下側に向けて走査線Ｇ１，Ｇ２，Ｇ３,・・・，ＧＭの順で配置され、第２の角度範囲では逆に液晶表示パネル１１の下側から上側に向けて走査線Ｇ１，Ｇ２，Ｇ３，・・・，ＧＭの順で配置されることになる。この設定の下、割込制御部１４Ｅは、センサー５から出力されたデータに基づいて液晶表示パネル１１が第１の角度範囲から第２の角度範囲に遷移したか、逆に、第２の角度範囲から第１の角度範囲に遷移したかを判定する。
【００３３】
また、割込制御部１４Ｅは、液晶表示パネル１１の本体部３に対する状態が別の状態に遷移すると、信号線駆動回路１３へ出力する映像信号を切り換える。すなわち、所定の期間だけ割込画像を液晶表示パネル１１に表示させ、その後、再びメモリ部１４Ｂに格納されているデータに基づく画像を液晶表示パネル１１に表示させる。
割込制御部１４Ｅによる映像信号の切り換えについて説明する。
割込制御部１４Ｅは、センサー５からの出力に基づいて第１の角度範囲から第２の角度範囲、又は、第２の角度範囲から第１の角度範囲に液晶表示パネル１１が遷移したと判定すると、第１の閾値以下又は第２の閾値以上の電圧が全ての画素の液晶に印加されるように信号線駆動回路１３に所定の期間だけ割込画像データを出力する。すなわち、所謂Ｖ−Ｔ曲線の傾斜が小さい領域の電圧が液晶に印加されるように割込画像データを出力する。
【００３４】
図４は割込制御部１４Ｅによる映像信号の切り換えを説明するための図であり、液晶への印加電圧に対する各画素における光の透過率（Ｖ−Ｔ）特性を示している。図４（Ａ）はノーマリーブラックモードの場合、すなわち液晶に電圧が印加されていないときに光を遮断し液晶に電圧が印加されているときに光を透過する表示モードの場合を示し、図４（Ｂ）はノーマリーホワイトの場合、すなわち液晶に電圧が印加されていないときに光が透過し液晶に電圧が印加されているときに光を遮断する表示モードの場合を示す。印加電圧−透過率（Ｖ−Ｔ）特性において、印加電圧が第１の閾値Ｖｔｈ１以下又は第２の閾値Ｖｔｈ２以上ではＶ−Ｔ特性の傾きｄＴ／ｄＶはゼロに近いが、印加電圧が一定の範囲、すなわち第１の閾値Ｖｔｈ１から第２の閾値Ｖｔｈ２までの間ではＶ−Ｔ特性の傾きｄＴ／ｄＶの値が急激に変化する。このため、傾きｄＴ／ｄＶの値が急激に変化する範囲でフレーム反転駆動すると輝度傾斜が大きく生じる。
そこで、本実施の形態では、ノーマリーブラックの場合では、例えば、液晶表示パネル１１の画面全体が黒画像となるように、第１の閾値電圧Ｖｔｈ１を設定し、また例えば、画面全体が白画像となるように、第２の閾値電圧Ｖｔｈ２を設定しておく。そして、割込制御部１４Ｅに各画素の液晶に対して第１の閾値電圧以下又は第２の閾値電圧以上が印加されるよう割込画像データを信号線駆動回路１３に出力させる。これにより、液晶表示パネル１１の画面全体に黒又は白の割込画像が表示される。
なお、ノーマリーホワイトの場合では、第１の閾値電圧Ｖｔｈ１を設定したときには画面全体に白画像の割込画像が表示され、第２の閾値電圧Ｖｔｈ２を設定したときには黒画像の割込画像が表示される。
そして、所定の期間だけ表示されるこの割込画像は、Ｖ−Ｔ特性の傾きｄＴ／ｄＶの変化が小さい範囲からなる画像であるため、輝度傾斜の発生が小さい。このため、走査線の走査方向を反転させる際に、このような割込画像を表示させることによって、輝度傾斜の傾斜方向の劇的変化及びその傾斜度合いの劇的変化の発生を和らげることができ、輝度傾斜の存在を認識され難くすることができる。
【００３５】
ここで、データ送出部１４Ｃは、外部から入力されてメモリ部１４Ｂに書き込まれる画像データについてメモリ部１４Ｂからのデータの読み出し先アドレス及び読み出し方向のみを特定し、下位アドレスから上位アドレスに向けて読み出す場合と、逆に上位アドレスから下位アドレスに向けて読み出す場合とを択一的に選択する。この場合、データ送出部１４Ｃから信号線駆動回路１３に対して、信号線Ｓ１から信号線ＳＮに向けて選択状態とするのか、逆に信号線ＳＮから信号線Ｓ１に向けて選択状態にするかの制御信号を入力する。すると、信号線駆動回路１３は、入力された制御信号に基づいて信号線Ｓｊの駆動順序を制御して、映像信号に係る信号電圧を各信号線Ｓｊに印加する。
データ送出部１４Ｃがメモリ部１４Ｂの読み出し先アドレス及び読み出し順序を特定することで、液晶表示パネル１１の画面に上下反転及び／又は左右反転の画像を表示することができる。
【００３６】
〔電子機器の動作〕
第１の実施形態に係る電子機器１の動作について、電子機器１に挿入された記録媒体に記録されている画像データが電子機器１の再生機能でメモリ部１４Ｂに格納されることにより当該画像データが再生表示される場面を想定して詳述する。図２（Ａ）においてユーザＡがモニター部２の画面側に向いて配置し、ユーザＢがモニター部２の背面側に向いて配置しているとする。
【００３７】
電子機器１で再生を行う場合、モニター部２が図２（Ａ）に示す通常の撮影状態、すなわち図５（Ａ）に示すように液晶表示パネル１１の上から下に向けて走査線Ｇ１，Ｇ２，・・・，ＧＭが並んでいる。そして、液晶表示パネル１１には図５（Ａ）に示す画像（図では「Ｌ」の文字）が表示されるものとする。つまり、メモリ部１４Ｂには、「Ｌ」の文字が表示される画像データが格納されるものとする。このとき、液晶表示パネル１１はフレーム反転で駆動されているので、走査線Ｇｉのスキャン方向に沿って輝度傾斜が生じている。
【００３８】
いま、ユーザＢにモニター部２の画面が見えるようユーザＡが本体部３に対しモニター部２を第１の閾値としての９０度を超えて回転（正転）させて例えば図２（Ｃ）に示す状態にする。すると、走査方向変更指令部１４Ｄがセンサー５から出力されたデータに基づいて上下反転コマンドを走査線駆動回路１２に出力する。走査線駆動回路１２は上下反転コマンドを受けると走査線の走査方向を反転させることにより走査線ＧＭ，・・・，Ｇ３,Ｇ２，Ｇ１の順に走査線を選択する。一方、割込制御部１４Ｅは、センサー５からのデータに基づいて、本体部３に対するモニター部２の回転角度が第１の状態から第２の状態に遷移したと判断し、液晶表示パネル１１の各画素の液晶に第１の閾値以下の電圧が印加されるように又は第２の閾値以上の電圧が印加されるように、メモリ部１４Ｂに格納されている画像データのデータ送出部１４Ｃによる信号線駆動回路１３への出力よりも優先させて、割込画像データを信号線駆動回路１３に出力する。
【００３９】
これにより、液晶表示パネル１１に表示される画像は、図５（Ａ）に示すようなメモリ部１４Ｂに格納されている画像データに基づく輝度傾斜の発生が大きい画像から、図５（Ｂ）に示すような割込画像データに基づく割込画像としての例えば黒画像に切り換わる。この黒画像表示では輝度傾斜の発生は小さくなる。
【００４０】
そして、割込制御部１４Ｅは、例えば内蔵カウンタで計時することにより割込画像の表示を開始してから所定の期間が経過したことを検出すると、割込画像データの信号線駆動回路１３への優先的な出力を停止する。これにより、信号線駆動回路１３には再びメモリ部１４Ｂに格納されている画像データがデータ送出部１４Ｃにより入力される。このとき、データ送出部１４Ｃは、図５（Ｃ）に示すように、液晶表示パネル１１に表示される画像が上下反転するようにメモリ部１４Ｂに格納されている画像データを信号線駆動回路１３へ出力する。
【００４１】
すなわち、本実施形態では、ユーザＢにモニター部２の画面が見えるようユーザＡが本体部３に対しモニター部２を所定の角度を超えて回転させたときに、電子機器１が上述のように動作することによって、走査線の走査方向の切り換えに伴って発生する輝度傾斜の傾斜方向の劇的変化及びその傾斜度合いの劇的変化を和らげることができ、ユーザＡやユーザＢに対して、輝度傾斜の存在を認識され難くすることができ、結果として、液晶表示パネル１１の表示品質を向上させることができる。
【００４２】
なお、本体部３に対してモニター部２を第２の閾値としての９０度を超えて回転（逆転）し、再び図２（Ａ）に示すようにモニター部２をユーザＡ側に向ける場合においても同様に、走査方向変更指令部１４Ｄがセンサー５から出力されたデータに基づいて上下反転コマンドを走査線駆動回路１２に出力する。走査線駆動回路１２は上下反転コマンドを受けると走査線の走査方向を再び反転させることにより走査線Ｇ１，Ｇ２,Ｇ３,・・・，ＧＭの順に走査線を選択する。一方、割込制御部１４Ｅは、センサー５からのデータに基づいて、本体部３に対するモニター部２の回転角度が第２の状態から第１の状態に遷移した（復帰した）と判断し、液晶表示パネル１１の各画素の液晶に第１の閾値以下の電圧が印加されるように又は第２の閾値以上の電圧が印加されるように、メモリ部１４Ｂに格納されている画像データのデータ送出部１４Ｃによる信号線駆動回路１３への出力よりも優先させて、割込画像データを信号線駆動回路１３に出力する。
【００４３】
これにより、液晶表示パネル１１に表示される画像は、図５（Ｃ）に示すようなメモリ部１４Ｂに格納されている画像データに基づく輝度傾斜の発生が大きい画像から、図５（Ｄ）に示すような割込画像データに基づく割込画像としての例えば黒画像に切り換わる。この黒画像表示では輝度傾斜の発生は小さくなる。
【００４４】
そして、割込制御部１４Ｅは、例えば内蔵カウンタで計時することにより割込画像の表示を開始してから所定の期間が経過したことを検出すると、割込画像データの信号線駆動回路１３への優先的な出力を停止する。これにより、信号線駆動回路１３には再びメモリ部１４Ｂに格納されている画像データがデータ送出部１４Ｃにより入力される。このとき、データ送出部１４Ｃは、図５（Ａ）に示すように、液晶表示パネル１１に表示される画像の上下反転が復帰するようにメモリ部１４Ｂに格納されている画像データを信号線駆動回路１３へ出力する。
【００４５】
ここで、第１の閾値と第２の閾値は、９０度に限定されるものでなく、また、第１の閾値と第２の閾値とは必ずしも同一の角度に設定される必要はない。例えば、第１の閾値を９０度未満になるような角度に設定し、第２の閾値を９０度以上になる角度に設定してもよい。また、その逆となるように設定してもよい。
【００４６】
〔第２の実施形態〕
第１の実施形態では、液晶表示パネル１１に割込画像として黒画像または白画像が表示される場合について説明したが、第２の実施形態では、割込画像として所定のメッセージからなるメッセージ画像を表示する場合について説明する。
電子機器１で再生を行う場合、モニター部２が図２（Ａ）に示す通常の撮影状態、すなわち図６（Ａ）に示すように液晶表示パネル１１の上から下に向けて走査線Ｇ１，Ｇ２，・・・，ＧＭが並んでいる。そして、液晶表示パネル１１には図６（Ａ）に示す画像（図では「Ｌ」の文字）が表示されるものとする。つまり、メモリ部１４Ｂには、「Ｌ」の文字が表示される画像データが格納されるものとする。このとき、液晶表示パネル１１はフレーム反転で駆動されているので、走査線Ｇｉのスキャン方向に沿って輝度傾斜が生じている。
【００４７】
ユーザＢにもモニター部２の画面が見えるようユーザＡが本体部３に対してモニター部２を第１の閾値としての９０度を超えて回転（正転）して図２（Ｃ）に示す状態にする。すると、走査方向変更指令部１４Ｄがセンサー５から出力されたデータに基づいて上下反転コマンドを走査線駆動回路１２に出力する。走査線駆動回路１２は上下反転コマンドを受けると走査線の走査方向を反転させることにより走査線ＧＭ，・・・，Ｇ３,Ｇ２，Ｇ１の順に走査線を選択する。一方、割込制御部１４Ｅは、センサー５からのデータに基づいて、本体部３に対するモニター部２の回転角度が第１の状態から第２の状態に遷移したと判断し、液晶表示パネル１１に所定のメッセージが表示されるように、メモリ部１４Ｂに格納されている画像データのデータ送出部１４Ｃによる信号線駆動回路１３への出力よりも優先させて、割込画像データを信号線駆動回路１３に出力する。このとき、液晶表示パネル１１に表示されるメッセージ画像は、液晶に印加される電圧が第１の閾値以下の電圧となる画素と、第２の閾値以上の電圧が印加される画素とによってメッセージが形成されることが好ましい。このようにすればメッセージ画像表示での輝度傾斜の発生を小さくすることができる。
【００４８】
これにより、液晶表示パネル１１に表示される画像は、図６（Ａ）に示すようなメモリ部１４Ｂに格納されている画像データに基づく輝度傾斜の発生が大きい画像から、図６（Ｂ）に示すような割込画像データに基づく割込画像としてのメッセージ画像に切り換わる。
【００４９】
そして、割込制御部１４Ｅは、例えば内蔵カウンタで計時することにより割込画像の表示を開始してから所定の期間が経過したことを検出すると、割込画像データの信号線駆動回路１３への優先的な出力を停止する。これにより、信号線駆動回路１３には再びメモリ部１４Ｂに格納されている画像データがデータ送出部１４Ｃにより入力される。このとき、データ送出部１４Ｃは、図６（Ｃ）に示すように、液晶表示パネル１１に表示される画像が上下反転するようにメモリ部１４Ｂに格納されている画像データを信号線駆動回路１３へ出力する。
【００５０】
すなわち、第２の実施形態では、ユーザＢにモニター部２の画面が見えるようユーザＡが本体部３に対しモニター部２を所定の角度を超えて回転させたときに、電子機器１が上述のように動作することによって、走査線の走査方向の切り換えに伴って発生する輝度傾斜の傾斜方向の劇的変化及びその傾斜度合いの劇的変化を和らげることができ、ユーザＡやユーザＢに対して、輝度傾斜の存在を認識され難くすることができ、結果として、液晶表示パネル１１の表示品質を向上させることができる。さらに、図６（Ｂ）に示すように、「反転しました」などのメッセージを画面に表示すれば、表示される画像が反転することをユーザＡに通知することができる。
【００５１】
なお、本体部３に対してモニター部２を第２の閾値としての９０度を超えて回転（逆転）し、再び図２（Ａ）に示すようにモニター部２をユーザＡ側に向ける場合においても同様に、走査方向変更指令部１４Ｄがセンサー５から出力されたデータに基づいて上下反転コマンドを走査線駆動回路１２に出力する。走査線駆動回路１２は上下反転コマンドを受けると走査線の走査方向を再び反転させることにより走査線Ｇ１，Ｇ２,Ｇ３,・・・，ＧＭの順に走査線を選択する。一方、割込制御部１４Ｅは、センサー５からのデータに基づいて、本体部３に対するモニター部２の回転角度が第２の状態から第１の状態に遷移した（復帰した）と判断し、液晶表示パネル１１に所定のメッセージが表示されるように、メモリ部１４Ｂに格納されている画像データのデータ送出部１４Ｃによる信号線駆動回路１３への出力よりも優先させて、割込画像データを信号線駆動回路１３に出力する。このときにおいても、液晶表示パネル１１に表示されるメッセージ画像は、液晶に印加される電圧が第１の閾値以下の電圧となる画素と、第２の閾値以上の電圧が印加される画素とによってメッセージが形成されることが好ましい。このようにすればメッセージ画像表示での輝度傾斜の発生を小さくすることができる。
【００５２】
これにより、液晶表示パネル１１に表示される画像は、図６（Ｃ）に示すようなメモリ部１４Ｂに格納されている画像データに基づく輝度傾斜の発生が大きい画像から、図６（Ｄ）に示すような割込画像データに基づく割込画像としてのメッセージ画像に切り換わる。なお、図６（Ｄ）に示すメッセージ画像は、図６（Ｂ）に示すメッセージ画像を上下反転させた表示になるように設定しておくことが好ましい。
【００５３】
そして、割込制御部１４Ｅは、例えば内蔵カウンタで計時することにより割込画像の表示を開始してから所定の期間が経過したことを検出すると、割込画像データの信号線駆動回路１３への優先的な出力を停止する。これにより、信号線駆動回路１３には再びメモリ部１４Ｂに格納されている画像データがデータ送出部１４Ｃにより入力される。このとき、データ送出部１４Ｃは、図６（Ａ）に示すように、液晶表示パネル１１に表示される画像の上下反転が復帰するように、メモリ部１４Ｂに格納されている画像データを信号線駆動回路１３へ出力する。
【００５４】
なお、メッセージ画面は複数のメッセージデータを乱数で選択して表示するようにしてもよい。メッセージ画面への表示切り換えタイミング及びその後の表示画面の戻しタイミングは、本体部３に設定した基準面に対してモニター部２の方向及び向きの変化度に対応して、電子機器１におけるモニター部２の役割で決めることができる。
【００５５】
以上、幾つかの実施形態を参照して本発明について説明したが、本発明の趣旨を変更しない範囲で任意に変更することもでき、これらも本発明の範囲に含まれる。
【図面の簡単な説明】
【００５６】
【図１】本発明の実施形態に係る電子機器の概略ブロック図である。
【図２】電子機器の一例としての撮像装置を示し、（Ａ）は撮影者がモニター部を見る状態を、（Ｂ）はモニター部が本体部に対して回転している途中を示す状態を、（Ｃ）は被撮影者がモニター部を見る状態を、それぞれ示す図である。
【図３】図１のブロック構成図の詳細を示し、（Ａ）は液晶表示素子を含む電子機器の主要構成図であり、（Ｂ）は液晶表示素子における各画素の構成図である。
【図４】図３における割込制御部による映像信号の切り換えを説明するための図であり、印加電圧に対する各画素の透過率（Ｖ−Ｔ）特性を示している。
【図５】第１の実施形態に係る表示画像を示す図である。
【図６】第２の実施形態に係る表示画像を示す図である。
【図７】従来の一般的な液晶表示装置の構成を模式的に示し、（Ａ）は液晶表示装置の全体構成を、（Ｂ）は一つの画素部分の構成を、それぞれ示す図である。
【図８】図７（Ｂ）に示す一つの画素部分の構成の等価回路図である。
【図９】液晶表示パネルを駆動するためのタイムチャートを模式的に示す図であり、（Ａ）は画面上部における画素電極の電位波形を示し、（Ｂ）は画面下部における画素電極の電位波形を示している。
【図１０】本発明が解決しようとする課題を説明するための説明図である。
【符号の説明】
【００５７】
１：電子機器
２：モニター部
２Ａ：液晶表示素子
３：本体部
４：接続部
５：センサー
１１：液晶表示パネル
１１ｉｊ：スイッチング素子
１１ａ：制御電極
１１ｂ：第１電極
１１ｃ：第２電極
１１ｄ：液晶
１１ｅ：画素電極
１１ｆ：対向電極
１１ｇ：補助容量電極
１２：走査線駆動回路
１３：信号線駆動回路
１４：制御部
１４Ａ：信号発生部
１４Ｂ：メモリ部
１４Ｃ：データ送出部
１４Ｄ：走査方向変更指令部
１４Ｅ：割込制御部
Ｃｌｃ：液晶容量
ＣＣｓ：補助容量
Ｇｉ：走査線
Ｓｊ：信号線
【図１】
0005176691.tif 000002
【図２】
0005176691.tif 000003
【図３】
0005176691.tif 000004
【図７】
0005176691.tif 000005
【図８】
0005176691.tif 000006
【図９】
0005176691.tif 000007
【図４】
0005176691.tif 000008
【図５】
0005176691.tif 000009
【図６】
0005176691.tif 000010
【図１０】
0005176691.tif 000011